(57)【要約】【課題】移送具の内部に収納されている液体試料を他の移送具内に注射針を介して移動させる際、所謂コンタミネーションを生じさせることなく液体試料を移動させることができる液体試料移動用の注射針の提供を課題とする。【解決手段】液体試料が収納されている移送具１２０には、両頭針１２６を具えたニードルホルダ１２４が装着されている。移送具１２０内の液体試料は、両頭針１２６を介して、内部が真空状態となっている気送容器１３０内に移動する。両頭針１２６の外部に露出している部分には、その先端部の針先を覆う被覆袋１２６ｂは配設されている。この被覆袋１２６ｂによって針先が保護されているため、液体試料の移動に際して、針先の汚染に起因する所謂コンタミネーションを防ぐことができる。【選択図】図２
2010197328.tif 000002
【特許請求の範囲】
【請求項１】
液体試料の移送具の内部に収納された液体試料を他の移送具内に移動される際、前記他の移送具に貫通可能な注射針を使用して前記他の移送具内に前記液体試料の移動を行なう前記液体試料の移送具に装着される液体試料移動用の注射針であって、
該注射針を前記液体試料の移送具に装着した際、当該注射針の外部に露出する部分の先端部となる前記注射針の針先に針先被覆手段が設けられ、
当該針先被覆手段は、前記針先に前記注射針の長さ方向に前記針先方向に向かって所定の圧力以上の圧力が加わった場合、前記注射針が貫通可能となる強度を有することを特徴とする液体試料移動用の注射針。
【請求項２】
前記針先被覆手段は、前記液体試料の移送具に装着した際、前記液体試料移動用の注射針を前記注射針の外部に露出している部分の前記針先から基端部までを覆い、その開口部分が前記基端部に固定されている袋状の被覆袋であることを特徴とする請求項１に記載の液体試料移動用の注射針。
【発明の詳細な説明】
【技術分野】
【０００１】
本発明は、原子力施設等の施設において、分析設備に送付された原試料に必要な前処理を施して分析可能な状態の液体試料にして分析室に移送する際に使用する液体試料の移送具に装着される液体試料移送用の注射針に関するものである。
【背景技術】
【０００２】
現在、原子力を扱う施設においては、工程内流体中の目的物質濃度または物理量の値が所定の範囲内であるか否かを、その物質を定期的に採集して分析することによって検査している。
【０００３】
放射性物質によって汚染されている現場で採集された原試料は、一旦マニピュレータで作業可能なマニピュレータ室に移送され、ここで分析可能な状態の液体試料に前処理されて、分析作業を行なうグローブボックスに移送されている。
【０００４】
図３は、現場から試料が入った容器が移送されてくるマニピュレータ室の概略構成を示した図である。マニピュレータ室１００には、現場で採集された原試料が容器に入った状態で移送されてくる搬入ボックス１０１と、この搬入された原試料をマニピュレータ室１００内で希釈等の処理をして分析可能な状態に前処理した分析用の液体試料を分析室であるグローブボックスに移送するための搬出ボックス１０２とが設けられている。
【０００５】
１０３は、マニピュレータ室１００内で前処理された分析用の液体試料を、分析室であるグローブボックスに移送する際に使用する移送具が外部から搬入される移送具搬入ボックスである。
【０００６】
ここで、現場から原試料が搬入される際に、原試料が入っている容器自体も現場で汚染されているために、このマニピュレータ室１００で作業を行なう作業員Ａは、全ての作業をマニピュレータＭを用いて行なう。
【０００７】
マニピュレータ室１００でマニピュレータＭを用いる作業員Ａは先ず、搬入ボックス１０１に現場から容器１１０に入って送られてくる原試料を、その容器１１０からビーカーに移し、希釈する等の処理を施して分析可能な状態の試料にする作業を行なう。
【０００８】
次に、作業員Ａは、この分析可能な状態になったビーカー内の液体試料を、移送具搬入ボックス１０３に送られてくる移送具１２０内に移し、この移送具１２０を用いて、搬出ボックス１０２内の汚染されていない気送容器の内に移して、この気送容器を分析室であるグローブボックスに気送する。
【０００９】
ここで、このような現場から容器１１０に入った状態で送られてくる原試料を扱う作業室であるマニピュレータ室１００と、試料を実際に分析する分析室であるグローブボックスとでは、許容される汚染レベルが著しく異なっているために、内部がグローブボックスに繋がっている搬出ボックス１０２には高い気密性が要求される。このような高い気密性の搬出ボックス１０２を有するシステムとしては、ＳＴＳ（Ｓｏｌｕｔｉｏｎ  Ｔｒａｎｓｆｅｒ  Ｓｙｓｔｅｍ）と言うシステムが既に知られている。
【００１０】
このＳＴＳの搬出ボックス１０２においては、マニピュレータ室１００内に在る液体試料を、注射針を用いて搬出ボックス１０２内の汚染されていない気送容器に移動させる必要がある。このために、マニピュレータ室１００で分析可能な状態となった液体試料を、注射針を具えた移送具１２０内に一旦移す作業が、マニピュレータ室１００での必須の作業となっている。
【００１１】
ここで、マニピュレータＭを用いて、分析可能な状態となった液体試料を、ビーカーから注射針を具えた移送具１２０に移す従来の方法を図面を用いて説明する。
【００１２】
図４は、仏国ＡＲＥＶＡ  ＮＣ社にて採用されている従来の液移送方法（以下、ＡＲＥＶＡ方式という）に使用される部品を示したものである。
【００１３】
図４において、１２０は、内部の気密性が保たれている円筒型の移送具であり、その上部には注射針が貫通可能なゴム栓部１２０ａが設けられている。１２１は、先端部に注射針が装着可能なシリンジであり、１２１ａはシリンジ１２１の付属品であるピストンである。１２２，１２３は注射針であり、１２２ａ，１２３ａはその保護キャップである。１２４は、移送具１２０の上部に冠着可能なキャップ部材１２５と両頭針１２６とからなるニードルホルダであり、１２６ａは保護キャップである。
【００１４】
従来の液移送方法では、、マニピュレータ室１００の外部において、先ず、図５（ａ）〜（ｃ）に示したような手順で組立て作業を行なう。
【００１５】
即ち、図５（ａ）に示したようにシリンジ１２１からピストン１２１ａを外し、図５（ｂ）に示したようにシリンジ１２１の先端部に注射針１２２を装着して保護キャップ１２２ａを外し、その後、図５（ｃ）に示したようにシリンジ１２１に装着された注射針１２２と注射針１２３とを移送具１２０の上部のゴム栓部１２０ａに貫通させて組立作業を終了する。
【００１６】
ここで、注射針１２３は、シリンジ１２１内から移送具１２０内へ試料を入れる際の通気孔の作用を果たすものである。
【００１７】
このようにして、図５（ｃ）に示す状態となった移送具１２０と、図４に示したニードルホルダ１２４とが、マニピュレータ室１００の移送具搬入ボックス１０３内に外部から搬入されている。
【００１８】
次に、作業室であるマニピュレータ室１００内でマニピュレータＭを用いて行なう作業について説明する。
【００１９】
先ず、作業員は、図６（ａ）に示したように、分析可能な状態となっているビーカーＢ内の液体試料Ｓをシリンジ１２１内に注ぎ、そのシリンジ１２１内の試料Ｓが自然落下して移送具１２０内に移動するのを待つ。
【００２０】
シリンジ１２１内の試料Ｓが移送具１２０内に移動したら、図６（ｂ）に示したように、移送具１２０からシリンジ１２１および注射針１２２を外し、さらに注射針１２３も外す。
【００２１】
次に、図６（ｃ）に示したように、ニードルホルダ１２４のキャップ部材１２５を移送具１２０の上部に冠着させる。この冠着させる作業により、両頭針１２６のキャップ部材１２５内に存在する部分が、移送具１２０の上部のゴム栓部１２０ａを貫通する。このような状態で、保護キャップ１２６ａを外し、この両頭針１２６の外部に露出している部分を、図７（ａ）に示したように、搬出ボックス１０２内の気送容器１３０の上部のゴム栓部１３０ａに貫通させる。
【００２２】
ここで、搬出ボックス１０２内の気送容器１３０の構成は移送具１２０と同様の構成となっており、さらに気送容器１３０の内部は真空状態にしてあるために、移送具１２０内の試料Ｓは速やかに気送容器１３０内に移動する。
【００２３】
試料の移動が終了したら、気送容器１３０から両頭針１２６を抜いて、図７（ｂ）に示したように、気送容器１３０に入った試料Ｓを，搬出ボックス１０２内から分析室であるグローブボックスに気送して、マニピュレータ室１００での作業を終了する。
【００２４】
以上のマニピュレータ室１００内での作業においては、この作業以前の作業でマニピュレータＭ等に付着している汚染物質により液体試料Ｓが影響を受けないように、すなわち所謂コンタミネーションが生じないようにマニピュレータＭを用いる作業員Ａには細心の注意が必要とされている。
【発明の概要】
【発明が解決しようとする課題】
【００２５】
以上説明したように、作業室であるマニピュレータ室１００内においては、所謂コンタミネーションが生じないように液体試料の移送作業が行なわれる。
【００２６】
しかしながら、このような従来の移送作業においては、以下のような問題点があった。
【００２７】
その問題点とは、図８（ａ）で示したように、移送具１２０内の液体試料を、搬出ボックス１０２内の気送容器１３０に両頭針１２６を介して移動させる際に生じる。
【００２８】
すなわち、図８（ｂ）に示したように、搬出ボックス１０２の壁面には、両頭針１２６の針先を、両頭針１２６が貫通可能な所定位置に誘導するための案内孔１０２ａが設けられており、作業員Ａは、この案内孔１０２ａに沿って両頭針１２６の針先を移動させ、針先が所定位置に達した段階で針先に圧力を加えて、図８（ｃ）に示したように、シール材１０２ｂおよびゴム栓部１３０ａに両頭針１２６を貫通させている。この作業の際、先に説明した従来の方式においては両頭針１２６の針先が、汚染されている案内孔１０２ａの壁面に接触するため、ここで両頭針１２６の針先が汚染されて所謂コンタミネーションが生じてしまう虞があった。
【課題を解決するための手段】
【００２９】
以上の問題点を解消するために、本発明は、液体試料の移送具の内部に収納された液体試料を他の移送具内に移動される際、前記他の移送具に貫通可能な注射針を使用して前記他の移送具内に前記液体試料の移動を行なう前記液体試料の移送具に装着される液体試料移動用の注射針であって、該注射針を前記液体試料の移送具に装着した際、当該注射針の外部に露出する部分の先端部となる前記注射針の針先に針先被覆手段が設けられ、当該針先被覆手段は、前記針先に前記注射針の長さ方向に前記針先方向に向かって所定の圧力以上の圧力が加わった場合、前記注射針が貫通可能となる強度を有することを特徴とするものである。ここで、前記針先被覆手段は、前記液体試料の移送具に装着した際、前記液体試料移動用の注射針を前記注射針の外部に露出している部分の前記針先から基端部までを覆い、その開口部分が前記基端部に固定されている袋状の被覆袋であってもよい。
【発明の効果】
【００３０】
本発明によれば、移送具の内部に収納されている液体試料を他の移送具内に注射針を介して移動させる際、所謂コンタミネーションを生じさせることなく液体試料を移動させることができる。
【図面の簡単な説明】
【００３１】
【図１】本発明の実施例１の構成を示す斜視図である。
【図２】本発明の実施例１の使用方法の説明図である。
【図３】従来の液体試料の移送方法の説明図である。
【図４】従来の液体試料の移送具に使用される部品を示す斜視図である。
【図５】従来の液体試料の移送具の使用方法の説明図である。
【図６】従来の液体試料の移送具の使用方法の説明図である。
【図７】従来の液体試料の移送具の使用方法の説明図である。
【図８】従来の液体試料の移送具の使用方法の説明図である。
【発明を実施するための形態】
【００３２】
以下、図面を用いて本発明の実施例を説明する。
【実施例１】
【００３３】
図１は、本発明の実施例１の構成を示した斜視図である。
【００３４】
図１において、図４（ｄ）に示した従来のニードルホルダ１２４と同一符号のものは同一のものを示している。即ち、図１に示したニードルホルダ１２４は、移送具１２０（図４（ａ）参照）の上部に冠着可能なキャップ部材１２５と両頭針１２６とを具えている。また、１２６ａは従来と同様の保護キャップである。
【００３５】
ここで、図１に示した本実施例１に係るニードルホルダ１２４においては、両頭針１２６のキャップ部材１２５の外部に露出している部分の針先から基端部までを覆う被覆袋１２６ｂが設けられている。
【００３６】
この被覆袋１２６ｂは、合成樹脂からなる変形自在な袋状の形態のものであり、その開口部分は、両頭針１２６の外部に露出している部分の基端部に固定されている。また、この被覆袋１２６ｂは、両頭針１２６の針先に、その長さ方向に針先に向かって所定の圧力以上の圧力が加わった場合にのみ、換言すれば、使用者が両頭針１２６の針先に貫通させる意図を持って力を加えた場合にのみ、両頭針１２６が貫通可能となる強度を有するように形成されている。
【００３７】
次に、以上のように構成された本実施例１の動作について説明する。
【００３８】
図２（ａ）に示したように本実施例１に係るニードルホルダ１２４を装着した移送具１２０内の液体試料を、搬出ボックス１０２内の気送容器１３０に移動させる場合、使用者（作業員）は、図２（ｂ）に示したように、搬出ボックス１０２の壁面の案内孔１０２ａに沿って両頭針１２６の針先を所定位置に移動させる。
【００３９】
このとき、本実施例１においては、両頭針１２６の針先が被覆袋１２６ｂによって覆われているので、両頭針１２６の針先が汚染されることはない。
【００４０】
案内孔１０２ａに沿って所定位置まで両頭針１２６の針先を移動させた段階で、使用者（作業員）が針先に力を加えると、汚染されていない両頭針１２６の針先が被覆袋１２６ｂ，シール材１０２ｂ，ゴム栓部１３０ａを貫通して、両頭針１２６が気送容器１３０の内部に侵入する。
【００４１】
このように、針先が汚染されていない両頭針１２６が気送容器１３０の内部に侵入するために、本実施例１においては、両頭針１２６を介して液体試料を移動させる際に、所謂コンタミネーションが生じることはない。
【００４２】
以上説明した実施例１においては、ニードルホルダ１２４の両頭針１２６のキャップ部材１２５の外部に露出している部分を被覆袋１２６ｂを覆う構成となっているが、本発明は、このような構成にのみ限定されるものではない。すなわち、移送具に装着した際に外部に露出する注射針であれば、どのような注射針であってもよく、特に両頭針の注射針に限定されるものではない。
【００４３】
さらに、注射針の針先を被覆する針先被覆手段は、図１に示した被覆袋１２６ｂに限られるものではなく、例えば、所定の圧力以上の圧力が加わると注射針が貫通する強度を有する合成樹脂製の球体を注射針の針先に配設しておき、この球体を針先被覆手段としてもよい。
【符号の説明】
【００４４】
１００  マニピュレータ室
１０１  搬入ボックス
１０２  搬出ボックス
１０２ａ  案内孔
１０２ｂ  シール材
１０３  移送具搬入ボックス
１２０  移送具
１２０ａ，１３０ａ  ゴム栓部
１２４  ニードルホルダ
１２５  キャップ部材
１２６  両頭針
１２６ａ  保護キャップ
１２６ｂ  被覆袋
１３０  気送容器
Ａ  作業員
Ｂ  ビーカー
Ｍ  マニピュレータ
Ｓ  液体試料
【図１】
2010197328.tif 000003
【図２】
2010197328.tif 000004
【図３】
2010197328.tif 000005
【図４】
2010197328.tif 000006
【図５】
2010197328.tif 000007
【図６】
2010197328.tif 000008
【図７】
2010197328.tif 000009
【図８】
2010197328.tif 000010